(57)【要約】【課題】  段積みの作業性を損なうことなく段積み後の各ラックの安定性を向上ならしめ、又、ネスティングした状態でも各ラックが安定した状態で積み重なる如く工夫した積層用荷物収納ラックを提供する。【解決手段】  コの字形状を成す下側フレーム部の両側フレーム間が荷受け部の横幅よりも外側になる如く幅広に形成し、後ろ側支柱間は荷受け部のやや内側になる如く幅狭に形成し、両側フレームの底面に案内溝を形成すると共に前側支柱の各上端部分に該案内溝よりも相当に背の高い長寸の案内用突出山形部を突出形成し、前側支柱の底面は案内用突出山形部が嵌まり込み可能な如く開口とし、荷受け部の後端部に保持プレートを突設し、少なくとも両側フレームの前端部分に載置プレートを突設する構造としたことを特徴とするものであり、又、載置プレートに前側支柱下部を保持ならしむ保持溝を形成して安定用載置プレートとしたことを特徴とする。【選択図】図１
2007223801.tif 000002
【特許請求の範囲】
【請求項１】
コの字形状を成す下側フレーム部の両側フレーム間及び前側支柱間が荷受け部の横幅よりも外側になる如く幅広に形成し、後ろ側支柱間は荷受け部のやや内側になる如く幅狭に形成し、両側フレームの底面に逆Ｖ字状の案内溝を形成すると共に前側支柱の各上端部分に該案内溝よりも相当に背の高い長寸の案内用突出山形部を突出形成し、前側支柱の底面は案内用突出山形部が嵌まり込み可能な如く開口とし、荷受け部の後端部に保持プレートを突設し、少なくとも両側フレームの前端部分に載置プレートを突設する構造としたことを特徴とする積層用荷物収納ラック。
【請求項２】
載置プレートに前側支柱下部を保持ならしむ保持溝を形成して安定用載置プレートとしたことを特徴とする請求項１の積層用荷物収納ラック。
【発明の詳細な説明】
【技術分野】
【０００１】  本発明は、フォークリフト等を用いて荷物、商品等を段積みする際に使用する積層用荷物収納ラックに関するものである。
【背景技術】
【０００２】  この種の荷物収納ラックは、前面側と下方側（或いは上方側）が開口した箱型構造を成しており、荷受け部に荷物、商品を載置し、その上に次のラックを積み重ね同様に荷受け部に荷物、商品を載置することにより何段もの積層状態とし、小スペースでより多くの荷物や荷物が収納出来るようにしたものであり、荷役作業、倉庫保管、商品陳列等々、色々なところで多用されている。しかし、従来のラックではフォークリフト等において段積み作業する際の位置調整が難しく、熟練者でないと位置決めに時間が係ってしまう、又、ラック搬送時には、分解や折り畳み出来ないので、一つ一つ積み込んでいかねばならず、一回の搬送に係るラック数に限りがあり、搬送コストに相当費やしているのが実状である。出願人は、特願平２００３−１８９４８２号において上記の問題を解決すべく新たなラックの発明を開示している。すなわち、コの字状の下側フレーム部の横幅を荷受け部の幅よりも幅広に形成し、下側フレームの両端部分から立設した各前側支柱の上面に等辺山形部をそれぞれ突出させると共に下側フレーム部の両側フレームを等辺山形部に係合する逆Ｖ字形状の等辺山形鋼によって構成したものである。これであれば、段積みしていく場合、既に設置しているラックの各等辺山形部に次に載せるようとするラックを前方から持っていき該ラックの等辺山形鋼の逆Ｖ字部分を合わせて、そのまま奥に水平方向移動させれば良く、簡単に位置決めが行えて段積み作業が極めて容易となる。又、搬送時や未使用時におけるネスティング方法は、一段目のラックに対して次のラックを後方やや上部から持ってきて、各前側支柱が一段目の荷受け部を挟み込む状態で前方やや下部に移動させれば、二段目のラックは一段目のラック上に被さった状態となり、これを順次行うことで場所を取らずに多くのラックをネスティングすることが出来る。
【発明の開示】
【発明が解決しようとする課題】
【０００３】  しかしながら、上記のラックの場合、段積みの作業性を考慮して、等辺山形部を短寸に形成した為、一旦段積みした上段のラックが安定した状態にあるとは言い難く、軽度の地震やフォークリフトの操作ミスによる揺れによって倒壊してしまう危険性を有するものであった。又、ネスティングしたラック群においても上のラックは下のラックに被さっただけの状態であって、軽い振動で崩れてしまうものであり、トラック等で搬送する場合にバンド等でより強固に結束する必要があった。【０００４】  本発明は上記の点に鑑みなされたものであり、段積みの作業性を損なうことなく段積み後の各ラックの安定性を向上ならしめ、又、ネスティングした状態でも各ラックが安定した状態で積み重なる如く工夫した積層用荷物収納ラックを提供することを目的とする。
【課題を解決するための手段】
【０００５】  上記目的を達成するための本発明のラックは、コの字形状を成す下側フレーム部の両側フレーム間及び前側支柱間が荷受け部の横幅よりも外側になる如く幅広に形成し、後ろ側支柱間は荷受け部のやや内側になる如く幅狭に形成し、両側フレームの底面に逆Ｖ字状の案内溝を形成すると共に前側支柱の各上端部分に該案内溝よりも相当に背の高い長寸の案内用突出山形部を突出形成し、前側支柱の底面は案内用突出山形部が嵌まり込み可能な如く開口とし、荷受け部の後端部に保持プレートを突設し、少なくとも両側フレームの前端部分に載置プレートを突設する構造としたことを特徴とするものであり、又、載置プレートに前側支柱下部を保持ならしむ保持溝を形成して安定用載置プレートとしたことを特徴とするものである。
【発明の効果】
【０００６】  本発明のラックであれば、段積みする場合、下段ラックの突出山形部に対して上段ラックの案内溝を載せ、そのまま下段ラックの保持プレートに上段ラックの下側フレーム部の後側フレームが当接するまで奥に移動させていけば良く、この時、下段ラックの突出山形部は上段ラックの前側支柱の底面開口部分に入り込み、上段ラックの後側フレームが下段ラックの保持プレートにて保持されるから、上下段のラックは上下、左右、前後の全ての方向に対して係止度の高い密着性が得られ、荷積み作業時や地震等の揺れに対して倒壊する危険を大きく低減ならしむものとなる。又、ネスティング時においては、載置プレートに保持溝を形成して安定用載置プレートにすることで、上から被せるラックの前側支柱の底面側開口部によって当該支柱の一側壁が下段の載置プレートの保持溝に挿入されるから、ラック同士の密着性は高まり、トラック搬送時等において上側のラックが外れてしまうことが無くなる。
【発明を実施するための最良の形態】
【０００７】  突出山形部を長寸とし、前側支柱の底面を開口形状とし、又、後部に保持プレートを配置したことで、従来のラックでは得られなかった安定性等に優れた段積みを提供することが出来た。又、安定用載置プレートによって、密着度の高いネスティングを可能とし、崩れてしまうといった問題を解消し得た。【０００８】  図１は本発明の一実施例を示す斜視図、図２は同側面図、図３は同正面図、図４は前側支柱部分を示す底面側斜視図である。【０００９】  図面において、１はラック本体で、荷受け部２、コの字状下側フレーム部３、この両者間を支持する２本の前側支柱６及び２本の後側支柱７から構成されるものである。荷受け部２は井桁状に角管を配設した荷受け台であって、当該位置に荷物を一定の高さまで（支柱分の高さまで）載せることが可能な荷物載置台である。【００１０】  コの字状フレーム部３は、両側フレーム４と後側フレーム５から成り、ラック本体１の前部が開放する如く設けられたものである。両側フレーム４の間隔は、荷受け部２の横幅よりも幅広であって、すなわち荷受け部２の横幅長さよりも両側フレーム間の内側長さを長くした形状を成してネスティング可能な如き構造にする必要がある。尚、両側フレーム４の前端部位置において垂設する前側支柱６、６の間隔も同様に荷受け部２の横幅より幅広に形成されている。両側フレーム４の底面には図４に示す如く、逆Ｖ字状の案内溝４ａを全長に渡って形成しており、後述する突出山形部８に当接させ、そのまま滑らすようにスライド出来るようにしているが、当該両側フレーム４を山形鋼によって形成しても構わない。【００１１】  前側支柱６は、上端部位置において荷受け部２と面一で接合した角管であり、上面には突出山形部８を設け、下面部は開口して開口部６ａ形成している。後側支柱７は下端部を後側フレーム５、上端部を荷受け部２の後部枠の下面と接合させた角管であり、前記の前側支柱と合わせて４本の支柱で相当な荷重に耐えられる荷受け部２を有するラック本体１を供するものである。【００１２】  突出山形部８は、段積みの際に上段ラック本体の案内溝４ａ部分が滑り易く、上段ラック本体の前記支柱の開口部６ａ内に収まった時に支柱の内壁に出来るだけ密接してズレが生じないように底面を三角形（支柱の後方側一辺とほぼ同一辺とする三角形）とする垂直三角錐形状としたが、特に限定されるものではない。但し、十分な高さを有する長寸でなければならない。【００１３】  保持プレート９は、段積みした際に上段ラックの後側フレーム５を確りと保持する為のくの字状プレートであって、荷受け部２の後部枠位置で後側支柱７の場所と異なる個所に設けた安定保持部材である。【００１４】  従って、本ラックで段積みする場合、図５に示す如く、段積みしようとする上段ラック本体１をやや前面上方位置から該ラック本体１の案内溝４ａが下段ラック本体１の突出山形部８に当たるように載せて、その状態で奥に送り込んでいけば、最終的に下段ラックの突出山形部８は上段ラックの前側支柱の底面開口部６ａに嵌まり込み、且つ上段ラックの後側フレーム５が下段ラックの保持プレート９にて保持されることとなり、安定性に富んだ幾段にも渡る段積みが行えるものである。【００１��】  載置プレート１０は、ラックをネスティングした際に上段のラックの前側支柱６の底面及び両側フレーム４の後側底面が当接する下側フレーム部３の位置（四隅）に設けてなるネスティング用プレートである。尚、前方の２枚の載置プレート１０に前側支柱６の肉厚よりも広めの保持溝１０ａを刻設して安定用載置プレート１０とすれば、図６の如く、上段ラックを被せた際に保持溝１０ａ内に上段ラック前側支柱６の底面開口部６ａが嵌まり込んで安定した状態が図られる。この場合は、後方の２枚の載置プレート１０の高さは小さくする必要がある。
【産業上の利用可能性】
【００１６】  本発明のラックは、以前に案出した荷役作業用ラックに比して非常に安定した段積み状態が得られる為、現在、荷役作業、倉庫保管、商品陳列といった様々な用途において使用されているラックの安全性を数段に向上させるものであって、その利用価値は極めて高いと言える。
【図面の簡単な説明】
【００１７】
【図１】  本発明の一実施例を示す斜視図。
【図２】  本発明の一実施例を示す側面図。
【図３】  本発明の一実施例を示す正面図。
【図４】  前側支柱部分を示す底面側斜視図。
【図５】  段積みした状態を示す側面図。
【図６】  ネスティングした状態を示す側面図。
【符号の説明】
【００１８】  １  ラック本体
２  荷受け部
３  下側フレーム部
６  前側支柱
８  突出山形部
９  保持プレート
１０  載置プレート
【図１】
2007223801.tif 000003
【図２】
2007223801.tif 000004
【図３】
2007223801.tif 000005
【図４】
2007223801.tif 000006
【図５】
2007223801.tif 000007
【図６】
2007223801.tif 000008